(57)【特許請求の範囲】
【請求項１】
少なくとも２つの電極と、この２つの電極の間に配置された絶縁体と、外部短絡装置の形の過負荷保護装置とを備えたガス入りサージ保護避雷器であって、この短絡装置は前記サージ保護避雷器の軸方向に延びる導電性短絡片からなり、その端部はばね力を作用させる保持装置及び熱の供給を受けて溶融する間隔片により電極に対して半径方向の間隔が保たれ、この保持装置は前記絶縁体の上にスナップ結合された、帯板状のばね性材料からなる開放リングからなり、その一端に前記短絡片が配置されているものにおいて、間隔片（２０、２２）が短絡片（１２）の中央部（１３）と絶縁体（２）との間に配置されており、間隔片（２０、２２）が前記電極と接触しないことを特徴とするガス入りサージ保護避雷器。
【請求項２】
スナップ結合される開放リング（１１）が金属からなり、短絡片（１２）と一体に形成され、前記開放リングは短絡する側の端部において側面側に形成された２つの部片（１４、１５）を備えていることを特徴とする請求項１に記載のサージ保護避雷器。
【請求項３】
短絡片（１２）がサージ保護避雷器を軸方向には突き出ず、かつ短絡片（１２）の両端の部片（１４、１５）が僅かに折り曲げられていることを特徴とする請求項１又は２に記載のサージ保護避雷器。
【請求項４】
間隔片が短絡片（１２）の中央部（１３）に固定された、プラスチック或いはろう材からなるリベット（２１）からなることを特徴とする請求項１乃至３の１つに記載のサージ保護避雷器。
【請求項５】
間隔片が短絡片（１２）の中央部（１３）に嵌められたプラスチッククリップ（２２）からなることを特徴とする請求項１乃至３に記載のサージ保護避雷器。
【請求項６】
３つの電極（３、４、５）と２つの絶縁体（６、７）とを備え、第二の同一形態の短絡片（１０）が第二の絶縁体（６）上に装着されていることを特徴とする請求項１乃至５の１つに記載のサージ保護避雷器。
【発明の詳細な説明】
この発明は電気部品の分野に関し、外部短絡装置を備えたガス入りサージ保護避雷器の構造上の形態に応用されるものに関する。このような短絡装置は２電極サージ保護避雷器においても、また３電極サージ保護避雷器においても慣用されている。短絡装置は、長時間負荷に際してサージ保護避雷器を保護するためのものであり、このような短絡装置は、通常比較的高温において溶融する構造部品を有しており、これにより両電極もしくは中央電極と、一方或いは双方の端部電極がと短絡される。
この種の公知の２電極避雷器においては、２つの電極に電気的に並列にばね接点と避雷器接点とが配置され、このばね接点と避雷器接点とは、避雷器の絶縁体に接しかつ高温になると軟化する間隔片によって間隔が保たれている。この間隔片は通常の動作温度では寸法的に安定し、そして高温になると軟化するガラス繊維強化プラスチック、例えばポリカーボネートから構成されている（ヨーロッパ特許出願公開第０５４８５８７号明細書）。
２電極避雷器については、さらに、多数の避雷器が絶縁性プラスチックからなるマガジン或いはカセットの室内に配置されるような適用例に対して使用が予定されている外部短絡装置が公知である。この短絡装置は、サージ保護避雷器を軸方向に突き出ていない、かつ直角に折り曲げられた２つの端部を備える、導電性の弓状体の形に形成され、それぞれの避雷器のすぐ脇にあって、この弓状体の保持装置を形成する別体の室内に配置され、その室の一方の壁は可溶性の間隔片を形成している。この弓状体は、その場合、これを室内に装着する際にばね力がその折り曲げ端部に加わり、その作用によりばね弓状体の端部が過負荷の際に室の壁を突き破るように成形されている（ヨーロッパ特許出願公開第０３１２７２９号明細書）。
３電極避雷器については、中央電極に被せられた開放リングからなるクランプにより構成され、その一方の端部が側面側に形成されたアームと共に短絡片を形成する短絡装置が公知である。この２つのアームの自由端は、中央電極と短絡片との間に配置された、可溶絶縁物からなる間隔片によって避雷器の端部電極に対して半径方向の間隔が保たれている。この両アームの自由端は、その場合、特別な接点を備えることができる。中央電極と短絡片との間に間隔片を使用する代わりに、上述の接点はまた絶縁性被膜で被覆することができる（米国特許第４９８４１２５号明細書）。同様に構成された外部短絡装置は、３電極避雷器に対してもまた２電極避雷器に対しても使用することができるが、この場合には短絡片の両アームの自由端が、それぞれの電極の周囲の縁部に接するように折り曲げられ、そしてその自由端が接触位置の範囲に熱の供給を受けて溶融する絶縁被膜を備えている（フランス特許出願公開第２６７０６２４号明細書）。
この発明の課題は、請求範囲１の前文の特徴を備えた、最後に挙げた種類のガス入りサージ保護避雷器を基にして、その短絡装置を、サージ保護避雷器を半径方向にできるだけ僅かにしか越えず、確実な接触付与が保証され、かつ容易に組み立て可能であるように形成することにある。
この課題を解決するために、本発明によれば、間隔片が短絡片の中央部分と絶縁体との間に配置される。
このような短絡装置の構成は、それ自体公知の短絡装置の構造（米国特許第４９８４１２５号明細書）を利用するものであるが、この場合、クランプは電極に被せられるのではなく、同様に公知の方法で（フランス特許出願公開第２６７０６２４号明細書）、２つの電極の間にある絶縁体の上に被せられる。これにより、短絡片は無電位の状態にある。このことは、マガジン或いはカセットのような狭い取付け環境において、短絡片が通電接触端子と一方の面の側で接触する場合に異常な短絡が発生することがない点で有利に作用する。間隔片が短絡片と絶縁体との間に配置されることから、この間隔片を比較的薄く形成することができる。なお、絶縁体は短絡電極に対して遅れて加熱されるから、間隔片として比較的割安な熱可塑性プラスチックを使用することができる。
この発明により形成された短絡装置を備えるサージ保護避雷器は、それ故非常にコンパクトで、多数のこの種避雷器をカセットに挿入するにあたり非常な省スペース構造であるということで優れており、しかも、短絡装置は１つ或いは２つの部品からなり、その形状が簡単であるので容易に種々の異なった避雷器配置にも整合させることができる。この短絡装置はまた、後からでも取り付け可能であり、さらに避雷器本体がなお健全である限り、その動作後でも交換することができる。
この発明により形成された短絡装置は、２電極避雷器にも、また３電極避雷器にも使用することができる。３電極避雷器の場合には、このような避雷器に設けられる２つの絶縁体の各々に、この発明に従った構成の短絡装置が装着される。
この発明による短絡装置の、スナップ結合される開放リングは、耐熱性のプラスチック或いは非良導電性のばね金属（例えば、スチールばね或いは銅合金）から形成し、開放リングの一端に、例えば銅からなる良導電性の金属の短絡片を設けるか或いは他の方法で固定することができる。しかしまた、特にこの開放リングを、本来の短絡片と同じ材料から作るものとし、短絡片を形成するために開放リングの一端に、これと一体に、しかもその側面側に形成された２つの部片を設けるのがよい。接触性能を改善するために、これらの部片の自由端を僅かに折り曲げておくことができる。
短絡装置の間隔片としては、公知のように、可溶性のプラスチック部材が考えられる。同様にろう材からなる間隔片もまた使用することができる。これらの間隔片は、例えば間隔片の中央部に固定されるリベットの形に形成することもできる。これらに代わって、間隔片の中央部に嵌められるプラスチッククリップも使用することができる。
この発明の実施例を図１乃至６に示す。図面において、
図１は短絡装置を装着した、２電極のガス入りサージ保護避雷器を、
図２は避雷器を外した短絡装置部分を、
図３は短絡装置の間隔片がリベットからなるサージ保護避雷器を、
図４は間隔片がプラスチッククリップからなる短絡装置を備えたサージ保護避雷器を、
図５は短絡装置を避雷器の電極の特殊な構成と共に、そして
図６は２つの絶縁体の上に装着された２つの短絡装置を備えた３電極の避雷器をそれぞれ示す。
図１は、絶縁体２と、２つの端部電極３及び４とからなるサージ保護避雷器１を示す。絶縁体２の上には短絡装置１０が装着され、これは図２において分離して示された、冷間鍛造金属からなる開放リング１１と、絶縁性の間隔片２０とからなる。開放リング１１は、この場合、その一端が短絡片１２として形成され、平面状に延びる中央部と、側面側に形成され、その両端が僅かに折り曲げられた２つの部片１４及び１５とを備えている。短絡片１２の軸方向の長さは、この場合、この短絡片１２がサージ保護避雷器１を軸方向には突き出ない（図５を参照）ように選ばれている。間隔片２０はまたろう材から成っていてもよい。
図３において、サージ保護避雷器１の短絡装置は、同様に避雷器の絶縁体に嵌められる開放リングからなり、本来の短絡片１２の間隔片としてプラスチック製のリベット２１が設けられ、これは短絡片の中央部１３の孔の中に固定されている。図４においては、間隔片として、短絡片の中央部１３に嵌められるプラスチック製のクリップ２２が使用されている。
図５において、サージ保護避雷器１の電極３１及び３２は、絶縁体２よりも大きい外径を備えている。これにより、本来の短絡装置１６の端部を折り曲げることが不要となる。
図６は電極３と４の間に中央電極５が配置されているサージ保護避雷器を示し、この場合避雷器は２つの絶縁体６及び７を備えている。各絶縁体６、７には、図１による避雷器に使用されているような短絡装置１０が設置されている。
【図１】
0004290224.tif 000002
【図２】
0004290224.tif 000003
【図３】
0004290224.tif 000004
【図４】
0004290224.tif 000005
【図５】
0004290224.tif 000006
【図６】
0004290224.tif 000007